(57)【要約】【課題】スイングウェイト調整用の錘の脱落を確実に防止でき、錘の着脱や交換が容易で、シャフト側に重心を偏らせ重心位置を安定させることが可能なゴルフクラブを提供する。【解決手段】グリップ本体及びグリップ本体の一端に設けられた弾性変形可能な差込口からなるウェイト接続部を有するグリップ部とグリップ部の先端に着脱固定可能に取り付けられるスイングウェイト調整用のウェイト部を有するウェイト付グリップ構造体において、ウェイト部が、差込口に差し込み可能な軸状の差込部と差込部の一端に設けられた略ディスク状端部を備え、差込部が、外径が差込口の開口径以上の大きさまで略ディスク状端部側に向けて漸次拡大した拡径部と拡径部に対して略ディスク状端部側に位置し差込口と係合可能な係合部と、拡径部と係合部との間に形成された段差を有し、略ディスク状端部及びグリップ本体の対向面の一方に突起を、他方に凹部を設ける。【選択図】図１
2011167243.tif 000002
【特許請求の範囲】
【請求項１】
筒状のグリップ本体、及び前記グリップ本体の一端に設けられた弾性変形可能な差込口からなるウェイト接続部を有するグリップ部と、
前記グリップ部の先端に着脱固定可能に取り付けられる、スイングウェイト調整用のウェイト部と、を有し、
前記ウェイト部が、前記差込口に差し込み可能な軸状の差込部と、前記差込部の一端に設けられた略ディスク状端部と、を備え、
前記差込部が、外径が前記差込口の開口径以上の大きさまで前記略ディスク状端部側に向けて漸次拡大した拡径部と、前記拡径部に対して前記略ディスク状端部側に位置し前記差込口と係合可能な係合部と、前記拡径部と前記係合部との間に形成された段差と、を有し、
前記略ディスク状端部のうちの前記グリップ部側に位置する面及び前記グリップ部のうちの前記略ディスク状端部側に位置する面において、一方に設けられた突起及び他方に設けられた凹部を有すること、
を特徴とするウェイト付グリップ構造体。
【請求項２】
前記差込部が、前記略ディスク状端部側とは反対側の端部にフランジ部を有すること、
を特徴とする請求項１に記載のウェイト付グリップ構造体。
【請求項３】
前記差込部のうちの前記拡径部と前記フランジ部との間に、着脱可能に設けられた追加ウェイトを有すること、
を特徴とする請求項２に記載のウェイト付グリップ構造体。
【請求項４】
前記グリップ本体が弾性変形可能なものであり、
前記ウェイト接続部が、前記グリップ本体よりも硬質であること、
を特徴とする請求項１〜３のうちのいずれかに記載のウェイト付グリップ構造体。
【請求項５】
請求項１〜４のうちのいずれかに記載のウェイト付グリップ構造体を具備するゴルフクラブ。
【発明の詳細な説明】
【技術分野】
【０００１】
本発明は、ウェイトを取り付けたゴルフクラブ等のグリップ構造体に関するものであり、特にスイングウェイトの固定構造に特徴を有するものである。
【背景技術】
【０００２】
従来より、差し込みやビス止め等でスイングウェイト調整用の錘（おもり乃至はウェイト）をシャフトやグリップに対して固定したゴルフクラブが提供されており、具体的には、例えば、下記特許文献１〜特許文献３に開示されているようなスイングウェイトを備えたゴルフクラブが提供されている。
【０００３】
特許文献１に開示されているゴルフクラブでは、クラブヘッドとシャフトを取り付けるために設けられたホーゼルにスイングウェイト調整用の錘が接着により取り付けられている。ここで採用されている錘は、円柱状の本体とフランジ部を有する形状とされており、本体をシャフト内に挿入するとともに、フランジ部をシャフトの端部とホーゼルの底面との間に挟み込むことにより錘がシャフトの先端側（クラブヘッド側）の位置に固定されている。
【０００４】
また、特許文献２に開示されているゴルフクラブは、グリップの内部に設けられた区画に、ウェイト調整用の錘として機能する球状のウェイト材料を多数収容させることができる構成とされており、ウェイト材料の個数を調整することによりスイングウェイトを調整することができる。
【０００５】
更に、特許文献３に開示されているゴルフクラブは、ゴルフクラブのクラブヘッドのスイートスポット付近が欠落しており、クラブヘッドのスイートスポット付近が欠落しているゴルフクラブのグリップ側の先端から、グリップの軸線に対し、交差する方向に軸線を有するウェイトを装着した構成を有している。
【先行技術文献】
【特許文献】
【０００６】
【特許文献１】実用新案登録第３０１８１３０号公報
【特許文献２】特開平５−２２０２４２号公報
【特許文献３】特開２００９−１３６６４１号公報
【発明の概要】
【発明が解決しようとする課題】
【０００７】
上述した従来のゴルフクラブのように、スイングウェイト調整用の錘を差し込んだりビス止めしたりして固定した場合は、使用している間に錘に作用する振動や慣性力等の影響により、錘を固定しているビスが徐々にゆるむ等して固定強度が低下することがあった。また、スイングウェイト調整用の錘がしっかりと固定されていない状態でゴルフクラブの使用を継続すると、錘が脱落してしまい、錘を紛失したり、飛散した錘によってケガをしてしまったりするという問題があった（固定）。
【０００８】
また、上記特許文献１に記載のゴルフクラブのように、錘をホーゼルの内側に取り付けることとした場合、錘の交換や調整を容易に行えないという問題があった。打球をより高く打ち上げることを考慮した場合には、シャフト側に重心を偏らせることが望ましいところ、特許文献１に開示されている構成とした場合は、錘を取り付けることにより重心がクラブヘッド側に偏ってしまい、打球をより高く打ち上げることが難しくなってしまうという問題があった（着脱乃至は交換）。
【０００９】
更に、特許文献２に開示されているゴルフクラブのようにウェイト材料をグリップ内に形成された区画内に収容する構造とした場合、この区画の開口部分を閉塞するために設けられたキャップが外れると、前記開口部分から球状のウェイト材料が飛び散り、ケガやウェイト材料の紛失の原因となってしまう可能性があった。
【００１０】
加えて更に、上記特許文献２に開示されているゴルフクラブでは、ウェイト材料である球状の錘の充填具合によって重心位置が微妙に変化する可能性があり、使用者がスイングを繰り返す等するうちに、グリップに設けられた区画内においてウェイト材料が移動したり偏在したりし、重心位置が変化してしまう可能性がある。即ち、特許文献２に開示されているゴルフクラブにも、上記特許文献１の場合と同様に固定という観点からの問題があった。
【００１１】
したがって、従来技術のゴルフクラブは、重心位置を安定させることが困難であり、使用感が良くないという問題があった。なお、上記特許文献３においては、グリップ側の先端にウェイトを具体的にどのように装着するかについては、何ら開示されていない。
【００１２】
そこで、上記した課題を解決すべく、本発明は、主として、スイングウェイト調整用の錘の脱落を確実に防止して、確実にシャフト側に重心を偏らせて重心位置を安定させることが可能であり、かつ、錘の着脱及び交換を容易に行うことができるウェイト付グリップ構造体の提供を目的とする。
【課題を解決するための手段】
【００１３】
上述した課題を解決すべく、本発明は、
筒状のグリップ本体、及び前記グリップ本体の一端に設けられた弾性変形可能な差込口からなるウェイト接続部を有するグリップ部と、
前記グリップ部の先端に着脱固定可能に取り付けられる、スイングウェイト調整用のウェイト部と、を有し、
前記ウェイト部が、前記差込口に差し込み可能な軸状の差込部と、前記差込部の一端に設けられた略ディスク状端部と、を備え、
前記差込部が、外径が前記差込口の開口径以上の大きさまで前記略ディスク状端部側に向けて漸次拡大した拡径部と、前記拡径部に対して前記略ディスク状端部側に位置し前記差込口と係合可能な係合部と、前記拡径部と前記係合部との間に形成された段差と、を有し、
前記略ディスク状端部のうちの前記グリップ部側に位置する面及び前記グリップ部のうちの前記略ディスク状端部側に位置する面において、一方に設けられた突起及び他方に設けられた凹部を有すること、
を特徴とするウェイト付グリップ構造体を提供する。
【００１４】
ここで、ウェイト部は、全体として錘としての機能を有していればよく、差込部及び略ディスク状端部のうちの少なくとも一方が錘としての機能を発揮できるある程度の重さを有していればよい。また、軸状の差込部の横断面形状は、必ずしも限定されるものではなく、例えば略円状、略楕円状、略矩形状、略多角形状等が挙げられるが、簡単な構造及び製造の容易等の観点から、略円状であるのが好ましい。さらに、略ディスク状端部のうちのグリップ部側に位置する面及びグリップ部のうちの略ディスク状端部側に位置する面において、一方に設けられた突起と、他方に設けられた凹部とは、突起が凹部に嵌まり込むような構成を有していればよく、突起及び凹部の詳細な形状は特に限定されるものではない。例えば、グリップ部のうちの略ディスク状端部側に位置する面は、グリップ部のうちのグリップ本体の一部に位置する面であってもよく、グリップ部のうちのウェイト接続部の一部に位置する面であってもよい。
【００１５】
このような構成によれば、スイングウェイト調整用の錘（ウェイト部）のグリップ本体からの脱落を確実に防止して、確実にシャフト側に重心を偏らせて重心位置を安定させることが可能であり、かつ、錘（ウェイト部）のグリップ本体からのの着脱及び交換を容易に行うことができるウェイト付グリップ構造体を実現することができる。
【００１６】
そして、ウェイト部の差込部が、外径が前記差込口の開口径以上の大きさまで前記略ディスク状端部側に向けて漸次拡大した拡径部と、前記拡径部に対して前記略ディスク状端部側に位置し前記差込口と係合可能な係合部と、前記拡径部と前記係合部との間に形成された段差と、を有しているため、ウェイト部をグリップ本体のうちのウェイト接続部に取り付けると、前記拡径部が前記差込口に引っかかり（前記拡径部が前記差込口の内周部に押し付けられ）、ウェイト部がグリップ部から脱落しない状態になる。
【００１７】
また、前記略ディスク状端部のうちの前記グリップ部側に位置する面及び前記グリップ部のうちの前記略ディスク状端部側に位置する面において、一方に設けられた突起及び他方に設けられた凹部を有するため、ウェイト部をグリップ部のうちのウェイト接続部に取り付けると、ウェイト部の略ディスク状端部及びグリップ部本体のうちの一方に設けられた突起が、他方に設けられた凹部に嵌まった状態になり、ウェイト部がグリップ部の軸心周りに回転するのを防止することができる。したがって、本発明によれば、グリップ部にウェイト部をより確実に装着してゴルフクラブの重心位置をより確実に安定させることができ、使用感に優れたウェイト付グリップ構造体を提供することができる。
【００１８】
上記本発明のウェイト付グリップ構造体は、前記差込部が、前記略ディスク状端部側とは反対側の端部にフランジ部を有するのが好ましい（第二実施形態）。
【００１９】
このような構成を有する本発明のウェイト付グリップ構造体は、別途用意した追加ウェイトを差込部に装着した場合にこれを脱落しないように保持させることが可能である。
【００２０】
また、上記本発明のウェイト付グリップ構造体は、前記拡径部と前記フランジ部との間に、着脱可能に設けられた追加ウェイトを有するのが好ましい（第二実施形態）。ここで、追加ウェイトの重さや形状等は、着脱可能に差込部に設けることができかつ追加的な錘としての機能を果たす範囲において、適宜選択することができるが、容易さ及び簡便さの観点からは、鉛等の金属からなる薄い板状体（例えば釣りで使用される鉛製の板状錘）等を用いるのが好ましい。
【００２１】
このような構成を有する本発明のウェイト付グリップ構造体は、容易かつ簡便に追加ウェイトによりウェイト部の重さを増大させることができ、重心位置をさらに調整することが可能とされている（第二実施形態）。
【００２２】
また、上記本発明のウェイト付グリップ構造体は、前記グリップ本体が弾性変形可能なものであり、前記ウェイト接続部が、前記グリップ本体よりも硬質なものであることが好ましい（第一実施形態及び第二実施形態）。
【００２３】
このような構成を有する本発明のウェイト付グリップ構造体は、ウェイト接続部の差込口が拡径しにくく、その分だけグリップ部に取り付けられたウェイト部が脱落しにくい。
【００２４】
また、本発明は、上記本発明のウェイト付グリップ構造体を具備するゴルフクラブを提供する（第一実施形態及び第二実施形態）。
【発明の効果】
【００２５】
本発明によれば、スイングウェイト調整用の錘の脱落を確実に防止して、確実にシャフト側に重心を偏らせて重心位置を安定させることが可能であり、かつ、錘の着脱及び交換を容易に行うことができるウェイト付グリップ構造体の提供することができる。
【００２６】
すなわち、本発明のウェイト付グリップ構造体によれば、スイングウェイト調整用の錘の脱落を確実に防止して、確実にシャフト側に重心を偏らせて重心位置を安定させることが可能であり、かつ、錘の着脱及び交換を容易に行うことができる。特に、ウェイト部の重心がグリップ部の軸心上に存在するため、適切なバランス点に重心が位置するように、容易にスイングウェイトの調整を行うことができる。また、重心位置を安定させることができ、特にスイング時の使用感に優れたゴルフクラブ等を提供することができる。
【００２７】
より具体的には、本発明の第一実施形態及び第二実施形態のウェイト付グリップ構造体は、グリップ本体側に設けられたウェイト接続部が弾性変形可能なものであるため、差込口に対して差込部を差し込んだ状態において更にウェイト部に対して差込部の軸方向に押圧力を作用させると、差込口が拡径部によって押し広げられつつ、差込部が徐々に挿入されていく。また、段差を越えて係合部が差込口に到達するまでウェイト部を押し込むと、ウェイト接続部の弾性力により差込口の開口径が元に戻り、係合部が差込口にしっかりと係合した状態になる。
【００２８】
したがって、本発明の第一実施形態及び第二実施形態のウェイト付グリップ構造体では、差込口に差込部を差し込んだ状態においてウェイト部を軸方向に押し込むだけでウェイト部をしっかりと固定することができ、また、グリップ本体の端部にウェイト部を取り付けるため、上記した本発明のグリップ構造体と同様に、グリップ部の軸心上の所望の位置に重心位置が到来するよう容易に調整することができる。
【００２９】
更に、本発明の第一実施形態及び第二実施形態のウェイト付グリップ構造体は、ウェイト部をグリップ部に対して取り付けると、ウェイト部の略ディスク状端部及びグリップ本体の一方に設けられた突起が、他方に設けられた凹部に嵌まる状態になるため、スイングに伴う回転力や慣性力が作用してもウェイト部がグリップ部の軸心周りに回転するのを防止することができる。
【００３０】
本発明の第二実施形態のウェイト付グリップ構造体は、略ディスク状端部側とは反対側の端部にフランジ部を設けることにより、差込部に追加ウェイトを脱落しないように取り付けることが可能となる。そして、本発明の第二実施形態のウェイト付グリップ構造体は、拡径部とフランジ部との間に追加ウェイトを捲回して取り付けることにより、重心位置をより一層的確に調整することが可能となる。
【００３１】
また、本発明の第一、第二実施形態のウェイト付グリップ構造体は、前記ウェイト接続部を前記グリップ本体よりも硬質とすることにより、ウェイト部をより一層強固に固定することが可能となる。
【００３２】
本発明のゴルフクラブは、上記した本発明のウェイト付グリップ構造体を具備したものであるため、スイングウェイト調整用の錘の脱落を確実に防止することができ、重心位置の調整や、錘の着脱及び交換を容易に行うことができる。
【図面の簡単な説明】
【００３３】
【図１】本発明の第一実施形態及び第二実施形態に係るゴルフクラブを示す正面図である。
【図２】第一実施形態に係るゴルフクラブの断面図であり、（ａ）はウェイト部の取り付け前の状態を示し、（ｂ）はウェイト部の取り付け後の状態を示す。
【図３】図１に示すゴルフクラブにおいてウェイト部の取り付け前の状態を示す要部拡大斜視図である。
【図４】ウェイト部を示す断面図である。
【図５】図１に示すゴルフクラブの変形例に係るグリップ部及びウェイト部の分解状態を示す断面図である。
【図６】ウェイト接続部のうちの差込口を有する円盤状部分の別の態様を示す概略斜視図である。
【図７】第二実施形態に係るゴルフクラブの断面図であり、（ａ）はウェイト部の取り付け前の状態を示し、（ｂ）はウェイト部の取り付け後の状態を示す。
【図８】第二実施形態に係るゴルフクラブにおいてウェイト部の取り付け前の状態を示す要部拡大斜視図である。
【図９】ウェイト部を示す断面図である。
【図１０】変形例に係る追加ウェイトの取り付け方法を示す斜視図である。
【図１１】ウェイト接続部の変形例を示す正面図である。
【発明を実施するための形態】
【００３４】
続いて、本発明のウェイト付グリップ構造体の好ましい実施形態として、本発明のウェイト付グリップ構造体を具備するゴルフクラブの実施形態（第一実施形態及び第二実施形態）を、図面を参照しながら詳細に説明する。
【００３５】
≪第一実施形態≫
本発明の第一実施形態に係るゴルフクラブ８０について、図面を参照しつつ説明する。図１に示すように、ゴルフクラブ８０は、シャフト１２の先端側にクラブヘッド１４を取り付けるとともに、末端側に設けられたグリップ部８２にウェイト部８４を取り付けたものである。シャフト１２は、従来公知のものと同様に中空の軸体によって構成されており、クラブヘッド１４は、従来公知のものと同様のものによって構成されている。
【００３６】
図１及び図２に示すように、グリップ部８２は、グリップ本体８６と、ウェイト接続部８８とを有する。グリップ本体８６は、使用者により把持される中空で筒状の部分であり、一端側に設けられた開口部分からシャフト１２が挿通されている。グリップ本体８６は、天然ゴムや合成ゴム等のゴム類のようにゴム状弾性を有する高分子素材（エラストマー）によって形成されており、少なくとも径方向への弾性を有する。
【００３７】
図２及び図３に示すように、ウェイト接続部８８は、径方向略中央に差込口９０を有する円盤状（乃至は環状）の形状を有し、グリップ本体８６の末端部分を覆っている。ウェイト接続部８８のうちの差込口９０を有する円盤状部分８８ａは、上述したグリップ本体８６と同様にゴム状弾性を有する高分子素材（エラストマー）によって形成されており、グリップ本体８６よりも硬質とされている。そのため、円盤状部分８８ａは、グリップ本体８６よりも変形しにくく、差し込まれたウェイト部８４が堅固に保持される。グリップ本体８６は、円盤状部分８８ａを予め形成しておき、円盤状部分８８ａを金型に挿入（インサート）し、これに射出成形によりグリップ部８２を一体成形することにより形成される。差込口９０は、略円形の開口形状を有する孔によって構成されており、後に詳述するウェイト部８４の差込部９４が差し込まれる部分である。もちろん、別部材としての円盤状部分８８ａを用いず、同一の材料でグリップ部８２とウェイト接続部８８とを含むグリップ本体８６を一体的に成形してもよい。
【００３８】
図２〜図４に示すように、ウェイト部８４は、略ディスク状端部９２と、差込部９４とを有する。ウェイト部８４は、全体としてゴルフクラブ８０のスイングウェイト調整用の錘として機能するものである。即ち、略ディスク状端部９２及び差込部９４は、いずれかが軽くていずれかが重くてもよい。略ディスク状端部９２は、グリップ部８２のウェイト接続部８８の外径と略同一径のディスク状のものであり、表面９２ａが軸心位置に向かってなだらかに盛り上がるように湾曲し、裏面９２ｂが平坦な形状とされている。
【００３９】
差込部９４は、略ディスク状端部９２の裏面９２ｂの略中心において、裏面９２ｂに対して略垂直に立設された軸状の部分である。図４に示すように、差込部９４は、先端側から先端部９４ａ、拡径部９４ｂ、係合部９４ｃの３つの部分に大別される。先端部９４ａは、上述した差込口９０の開口径と同等、あるいはそれ以下の外径を有する軸状の部分である。そのため、差込部９４は、ウェイト接続部８８に設けられた差込口９０に対して先端部９４ａをスムーズに出し入れすることができる。
【００４０】
拡径部９４ｂは、先端部９４ａと係合部９４ｃとの間に位置しており、先端部９４ａ側から係合部９４ｃ側に向かうに連れて外径が拡大するように形成されたテーパー状の部分を有する。拡径部９４ｂの外径は、差込部９４の軸方向中間部分を境として係合部９４ｃ側の部分がウェイト接続部８８に設けられた差込口９０の開口径よりも大きくなっている。そのため、先端部９４ａを差込口９０に差し込んだ状態において、ウェイト部８４を更に軸方向に押し込むとウェイト接続部８８が弾性変形し、拡径部９４ｂによって差込口９０が押し広げられる。
【００４１】
係合部９４ｃは、差込部９４の基端部、即ち拡径部９４ｂと略ディスク状端部９２の裏面９２ｂとの間に位置し、上述したウェイト接続部８８に設けられている差込口９０に係合する部分である。係合部９４ｃの外径は、上述した差込口９０の開口径と略同一あるいはそれ以上とされている。そのため、差込部９４は、拡径部９４ｂと係合部９４ｃとの境界部分を境として外径が大幅に変化しており、両者の間に段差９４ｄが形成されている。また、係合部９４ｃの軸方向の長さは、上述したウェイト接続部８８の肉厚と略同一とされている。そのため、差込部９４を差込口９０に押し込み、係合部９４ｃを差込口９０と係合させると、ウェイト接続部８８に段差９４ｄが引っかかり、略ディスク状端部９２の裏面９２ｂとウェイト接続部８８とが略密着した状態になる。更に、係合部９４ｃが差込口９０に至るまで差込部９４を押し込むと、拡径部９４ｂが差込口９０を通過している際に作用していた摩擦力が解除されて係合するため、係合の際に適度な節度感が得られ、ウェイト部８４をしっかりと固定できたという感覚を使用者に与えることができる。また、本実施形態では、ウェイト接続部８８がグリップ部８２よりも硬質の材質によって形成されているため、ウェイト部８４を接続した際の接続強度が高い。
【００４２】
また、本実施形態のゴルフクラブ８０は、グリップ本体８６がウェイト接続部８８よりも軟質である。略ディスク状端部９２の裏面９２ｂとウェイト接続部８８との間に爪などを挿入することにより比較的容易に隙間を広げることができる。したがって、本実施形態のゴルフクラブ８０は、ウェイト部８４の取り付けだけでなく、交換などのためにウェイト部８４を取り外す作業も容易に実施することができる。
【００４３】
本実施形態では、ウェイト部８４の中央に差込部９４を設け、ウェイト接続部８８の中央に差込口９０を設けた構成を例示したが、本発明はこれに限定される訳ではなく、ウェイト部８４やウェイト接続部８８の中央をはずれた位置に差込部９４や差込口９０を設けた構成としてもよい。また、本実施形態では、差込部９４や差込口９０をそれぞれ一つずつ設けた構成を例示したが、例えば図５（ａ）に示すように差込部９４や差込口９０に相当するものを複数設けた構成としてもよい。かかる構成とすることにより、グリップ部８２とウェイト部８４との接続強度をより一層向上させることが可能であり、ウェイト部８４を略ディスク状端部９２の重量の大きなものとした場合であってもウェイト部８４が回転したり外れたりするのを防止することができる。なお、図５においては円盤状部分８８ａを省略している。
【００４４】
本実施形態のゴルフクラブ８０は、差込部９４の先端部９４ａを差込口９０に差し込むことによりグリップ部８２とウェイト部８４との位置合わせを行うことができ、差込部９４の差し込み時に位置ずれを起こすのを防止できる。なお、上記した差込部９４の構成は本発明の一例を示したものに過ぎず、例えば図５（ｂ）に示すように先端部９４ａを備えていないものとしてもよい。
【００４５】
本実施形態のゴルフクラブ８０は、ウェイト接続部８８をゴムなどのエラストマーによって形成したものであり、ウェイト部８４を装着することにより略ディスク状端部９２の裏面９２ｂとウェイト接続部８８とが略密着した状態になるものであるため、略ディスク状端部９２に大きな摩擦力が作用する。そのため、本実施形態のゴルフクラブ８０は、スイングなどに伴って略ディスク状端部９２が回転したり、外れたりしてしまう等の不具合が起こらない。
【００４６】
加えて、本実施形態においては、図３及び図４に示すように、グリップ本体８６のうちの略ディスク状端部９２側の面（即ち、グリップ本体８６のうちのウェイト接続部８８の面）に突起９６ａが設けられ、略ディスク状端部９２のうちのグリップ本体８６側の面（即ち、略ディスク状端部９２の裏面９２ｂ）には、突起９６ａに対応する位置に凹部９６ｂが設けられており、突起９６ａが凹部９６ｂに嵌まり込む構成が採用されている。かかる構成とすることにより、ウェイト部９４ｂを装着することにより突起９６ａが凹部９６ｂに嵌り込み、スイング時にウェイト部９４ｂが回転したり、外れたりしてしまう等の不具合をより一層抑制することが可能である（なお、図面作製上の理由から、図２においては、突起９６ａ及び凹部９６を省略している。）。
【００４７】
なお、変形例として、図５に示すように、略ディスク状端部９２の裏面９２ｂに突起９６ａを設け、ウェイト接続部８８の対応する位置に突起９６ａが嵌まり込む凹部９６ｂを設けた構成とすることも可能である。かかる構成とすることによっても、ウェイト部９４ｂを装着することにより突起９６ａが凹部９６ｂに嵌り込み、スイング時にウェイト部９４ｂが回転したり、外れたりしてしまう等の不具合をより一層抑制することが可能である。
【００４８】
本実施形態で例示したウェイト部８４は、差込部９４の軸方向先端側から基端側（錘側）に向かうに連れて拡径部９４ｂの外径が連続的に拡大したものであったが、本発明はこれに限定されるものではなく漸次拡大するものであればいかなるものであってもよく、例えば拡径部９４ｂの外径が段階的に拡大するものであってもよい。
【００４９】
本実施形態では、ウェイト部８４の固定強度を高めるため、グリップ部８２のウェイト接続部８８をグリップ本体８６よりも硬質のものによって構成した例を例示したが、本発明はこれに限定される訳ではなく、同一の硬度を有するものであってもよい。また、本実施形態では、射出成形によりグリップ本体８６を作成し、予め準備されたウェイト接続部８８と一体化することによりグリップ部８２を作成する方法を例示したが、本発明はこれに限定されるものではなく、他の方法によりグリップ部８２を作成してもよい。
【００５０】
また、ウェイト接続部８８のうちの差込口９０を有する円盤状部分８８ａには、図６に示すように、例えば星型形状部分８８ｂを採用してもよい。このような星型形状部を有する円盤状部分を（例えば１万個に１個の割合で）採用すれば、ユーザーが幸運を感じてゴルフのプレーに精神的に好影響を与えたりすることが期待でき好ましい。
【００５１】
≪第二実施形態≫
続いて、本発明の第二実施形態に係るゴルフクラブ１００について、図面を参照しつつ詳細に説明する。なお、上述したゴルフクラブ８０と共通する部分については同一の符号を付し、詳細の説明については省略する。
【００５２】
図７に示すように、本実施形態のゴルフクラブ１００の外観形状は、上記第一実施形態のゴルフクラブ８０と略同一であるが、グリップ部１１０やウェイト部１２０の構成が一部相違している。具体的には、図７に示すように、グリップ部１１０は、グリップ本体８６と、ウェイト接続部１１２とを有する。グリップ本体８６は、上述したグリップ部８２のものと同様に使用者により把持される中空で筒状の形状を有し、一端側に設けられた開口部分からシャフト１２が挿通される部分である。
【００５３】
図７及び図８に示すように、ウェイト接続部１１２は、グリップ本体８６の末端を覆っており、ウェイト部１２０が接続される部分である。本実施形態のウェイト接続部１１２は、上述した図６に示すように円盤状部分８８ａと星形状部分８８ｂとを備えた樹脂製芯部材としてグリップ本体８６の末端に形成することが可能である。具体的には、ウェイト接続部１１２は、上記第一実施形態のウェイト接続部８４と同様に図６に示すような形状の樹脂製の部材を予め準備しておき、この部材を金型に挿入（インサート）し、これに射出成形によりグリップ本体８６を一体成形することにより形成することが可能である。もちろん、前述したような芯部材となるものを別部材として準備せず、同一の材料によってグリップ本体８６とウェイト接続部１１２とを含むグリップ部８２を一体的に成形してもよく、第一実施形態のものと同様に星形状部分８８ｂを有さない円盤状のものを芯部材としてもよい。
【００５４】
上述したようにして成型することにより、ウェイト接続部１１２は、外周側の領域よりも硬質の硬質部１１４が径方向略中央に形成される。具体的には、図８に示すように星形に形成された星形状部分８８ｂがウェイト接続部１１２の末端に露出した状態になり、この星形状部分８８ｂが硬質部１１４となる。更に、ウェイト接続部１１２の軸心位置、即ち硬質部１１４の略中心には、差込口９０が設けられている。そのため、差込口９０は、変形しにくく、差し込まれたウェイト部１２０を堅固に保持することが可能である。硬質部１１４の形状はいかなるものであってもよいが、本実施形態では図６及び図８に示すように星形の形状等、適宜の形状とすることが可能である。
【００５５】
また、グリップ本体８６のうちのウェイト接続部１１２のうちの差込口９０の外周側には、凹部９１が設けられている。凹部９１は、後に詳述するウェイト部１２０に設けられた突起１２４が嵌まり込む部分である。そのため、凹部９１は、突起１２４との組み合わせによりウェイト部１２０の回り止めとして機能することができる。また、凹部９１は、硬質部１１４の領域内（星形形状部分８８ｂ）に設けられているため、突起１２４を堅固に保持することが可能である。そのため、ゴルフクラブ１００のスイングに伴う衝撃等が加わっても、ウェイト部１２０が回転するのを確実に防止することができる。
【００５６】
ウェイト部１２０は、上記第一実施形態のウェイト部８４と略同一の構成を有するが、一部が相違している。具体的には、図７〜図９に示すように、ウェイト部１２０は、上述したものと同様の略ディスク状端部９２及び差込部９４に加え、差込部９４にフランジ部１２２が設けられている点や、略ディスク状端部９２に突起１２４が設けられている点、追加ウェイト１２６を備えている点において相違している。
【００５７】
フランジ部１２２は、差込部９４の先端部９４ａ側の端部に設けられたフランジ状の部分である。フランジ部１２２の外径は、先端部９４ａの外径よりも大きく、グリップ部１１０側に設けられている差込口９０の開口形と同等あるいはこれ以下とされている。そのため、フランジ部１２２は、差込口９０に対して差込部９４を先端部９４ａ側からスムーズに挿入することができる。
【００５８】
突起１２４は、ディスク状端部９２のうちのグリップ本体８６側の面、即ち裏面９２ｂに設けられている。突起１２２は、ウェイト部１２０をグリップ部１１０と接続することによりグリップ部１１０のウェイト接続部１１２に設けられている凹部９１に嵌まり込むように設けられている。
【００５９】
即ち、本実施形態においては、グリップ本体８６のうちの略ディスク状端部９２側の面（即ち、グリップ本体８６のうちのウェイト接続部１１２の面、より具体的には差込口９０の外周側）に凹部９１が設けられ、略ディスク状端部９２のうちのグリップ本体８６側の面（即ち、略ディスク状端部９２の裏面９２ｂ）には、凹部９１に対応する位置に突起１２４が設けられており、突起１２４が凹部９１に嵌まり込む構成が採用されている。かかる構成とすることにより、ウェイト部１２０を装着することにより突起１２４が凹部９１に嵌まり込み、スイング時にウェイト部１２０が回転したり、外れたりしてしまう等の不具合をより一層抑制することが可能である
【００６０】
追加ウェイト１２６は、ウェイト部１２０の重量を微調整するために取り付けられるものである。本実施形態における追加ウェイト１２６は、鉛製の板状体によって構成されており、上述した差込部９４に捲回すことにより装着されている。ウェイト部１２０は、追加ウェイト１２６をなす鉛製の板状体の捲回量を変化させることにより、全体としての重量を容易に調整することができる。なお、当該鉛製の板状体の長さ、幅及び厚さは、適宜選択することができる。
【００６１】
差込部９４に捲回された追加ウェイト１２６は、先端部９４ａの端部に設けられたフランジ部１２２がストッパーとして機能し、脱落しない。また、先端部９４ａに隣接する位置には拡径部９４ｂが設けられており、拡径部９４ｂが差込部９４ａよりも拡径しているため、追加ウェイト１２６が先端部９４ａから移動しない。したがって、ゴルフクラブ１００のスイングを行っても、追加ウェイト１２６の移動に伴う重心位置の変化が起こらない。
【００６２】
第二実施形態のゴルフクラブ１００は、ウェイト部１２０の先端部９４ａに追加ウェイト１２６を捲回して装着することによりウェイト部１２０の重量を微調整することが可能であり、より一層適切な位置に重心を偏らせ、スイングを安定させることが可能である。
【００６３】
また、ゴルフクラブ１００は、ウェイト部１２０をグリップ部１１０に対して取り付けることにより凹部９１及び突起１２４による嵌込構造が形成され、ウェイト部１２０がグリップ部１１０の軸心周りに回転するのを防止できる。なお、本実施形態では、凹部９１をグリップ部１１０側に設け、突起１２４をウェイト部１２０側に設けた例を例示したが、本発明はこれに限定されるものではなく、突起１２４がグリップ部１１０側に設けられ、凹部９１がウェイト部１２０側に設けられたものであってもよい。また、凹部９１及び突起１２４をそれぞれ一つずつ設けた例を例示したが、さらに多数設けられていてもよい。
【００６４】
ゴルフクラブ１００では、グリップ部１１０の端部に設けられたウェイト接続部１１２に他よりも硬質な硬質部１１４が設けられており、この硬質部１１４に差込口９０や凹部９１が形成されているため、差込部９４を差込口９０に差し込み、凹部９１に突起１２４を係合させることによりグリップ部１１０を強固に固定することができる。なお、本実施形態では、硬質部１１４を設けこれに差込部１１６や凹部９１を形成した構成を例示したが、硬質部１１４を設けない構成としたり、差込部１１６あるいは凹部９１のいずれかを硬質部１１４から外れた位置に設けた構成としてもよい。
【００６５】
本実施形態において採用されているウェイト部１２０は、略ディスク状端部９２、差込部９４、及び追加ウェイト部１２６の全体が錘として機能するものであるが、これらの構成の全てが必ずしも錘として機能する必要はなく、少なくともいずれかが錘として機能すればよい。即ち、略ディスク状端部９２、差込部９４及び追加ウェイト部１２６は、いずれかが軽くていずれかが重くてもよい。
【００６６】
本実施形態においては、追加ウェイト１２６として鉛製の板体を採用した例を例示したが、本発明はこれに限定されるものではなく、ウェイト部１２０に対して追加することにより重量を増加させることが可能なものであればいかなる形状や構造のものであってもよい。具体的には、追加ウェイト１２６を図１０に示すような断面形状略「Ｃ」字型に成型されたクリップ状の部材とし、差込部９４の先端部９４ａに対して横側から押し込んで装着するようにしてもよい。
【００６７】
以上、本発明の代表的な実施形態について説明したが、それぞれ本発明の技術的思想の範囲内で種々の設計変更が可能である。例えば、上記実施形態においては、ウェイト部８４が略ディスク状端部を兼ねる態様（即ち、着脱不能に一体化されている態様）となっているが、例えば、略ディスク状端部を別部材としてウェイト部に着脱可能に一体化させてもよい。このような態様によれば、さらに、ウェイト部の重さを適宜コントロールすることも可能である。
【００６８】
また、第一実施形態及び第二実施形態において、ウェイト接続部８８、１１２の差込部９４を差し込むための差込口９０、１１６の開口形状が円形である例を例示したが、本発明はこれに限定される訳ではなく、図１１に示すように開口形状が矩形のもの等であってもよい。なお、差込口９０、１１６の開口形状を矩形等とした場合についても、差込部９４の断面形状は必ずしも差込口９０、１１６の開口形状に合致するものである必要はないが、ウェイト部８４、１２０が回転しないように堅固に保持可能とするためには、グリップ部８２、１１０に対してウェイト部８４、１２０を装着した状態において差込部９４が差込口９０、１１６に対して外接するように開口形状等を調整することが望ましい。
【産業上の利用可能性】
【００６９】
本発明のウェイト付グリップ構造体は、ゴルフクラブやテニスラケット等、グリップを有する全ての物品に適用可能であり、本発明のウェイト付グリップ構造体を具備する物品では、ウェイト部の重心がグリップ部の軸心上に存在するため、適切なバランス点に重心が位置するように、容易にスイングウェイトの調整を行うことができ、重心位置を安定させることができることから、特にスイング時の使用感に優れた物品が得られる。
【符号の説明】
【００７０】
８０、１００      ゴルフクラブ
８２、１１０      グリップ部
８４、１２０      ウェイト部
８６              グリップ本体
８８、１１２      ウェイト接続部
９０              差込口
９２              略ディスク状端部
９４              差込部
９１、  ９６      凹部
１２２              フランジ部
９６ａ、１２４      突起
１２６              追加ウェイト
【図１】
2011167243.tif 000003
【図２】
2011167243.tif 000004
【図３】
2011167243.tif 000005
【図４】
2011167243.tif 000006
【図５】
2011167243.tif 000007
【図６】
2011167243.tif 000008
【図７】
2011167243.tif 000009
【図８】
2011167243.tif 000010
【図９】
2011167243.tif 000011
【図１０】
2011167243.tif 000012
【図１１】
2011167243.tif 000013